(57)【要約】      （修正有）【課題】幼児がプールサイドでプールにあるボール体と組み合わせて遊ぶときに、創意と思考、想像力、創造力などの特質を合わせて向上できるとともに、遊戯の趣味性を兼ね合わせた鎖状組み継ぎおもちゃを提供する。【解決手段】ボール体に周設して固定することによって、複数のボール体を互いに繋ぎ合わせる鎖状組み継ぎおもちゃは、二つの第１接合部１１と、一つの第１リング１２と、二つの第１締結部１３と、複数の第１鎖状接続部１４とを含む第１鎖状組立具１を備える。第１鎖状組立具をボール体に周設して固定すれば、一端に配置された第１接合部１１がもう一端に配置された第１リング１２と互いに締結し、第１締結部１３が他のボール体に周設されたもう一つの第１鎖状組立具の残りの第１接合部１１と互いに締結することにより、複数のボール体を互いに繋ぎ合わせて様々な形状またはスタイルを形成できる。【選択図】図１
0003218118.tif 000002
【実用新案登録請求の範囲】
【請求項１】
ボール体に周設して固定することによって、複数のボール体を互いに繋ぎ合わせることができる鎖状組み継ぎおもちゃであって、
二つの第１接合部と、一つの第１リングと、二つの第１締結部と、複数の第１鎖状接続部とを含む第１鎖状組立具を備え、
前記第１接合部と、前記第１リングと、前記第１締結部とがそれぞれ前記第１鎖状接続部を介して鎖状に相互に連結されており、前記第１鎖状組立具の両端にはそれぞれ前記二つの第１接合部のうち一つの第１接合部と、前記第１リングとが配置されており、一端にある前記一つの第１接合部が前記二つの第１締結部のうち一つの第１締結部と鎖状に連結していて、かつ、前記一つの第１接合部の縁部付近には第１外部リング部が更に設けられており、一端にある前記一つの第１接合部以外のもう一つの第１接合部が前記二つの第１締結部と互い違いに鎖状に連結するように設置されており、
前記第１鎖状組立具を前記ボール体に周設して固定したとき、一端にある前記一つの第１接合部が前記第１外部リング部を介して、もう一端にある前記第１リングと互いに締結され、前記二つの第１締結部は、他の前記ボール体に周設して固定した別の前記第１鎖状組立具の一端にある前記一つの第１接合部と互いに締結されて前記複数のボール体を相互に繋ぎ合わせることを特徴とする、鎖状組み継ぎおもちゃ。
【請求項２】
前記第１接合部と、前記第１リングと、前記第１締結部とにはそれぞれアーチ面が形成されていて、前記ボール体の表面に対応して取り付けられることを特徴とする、請求項１記載の鎖状組み継ぎおもちゃ。
【請求項３】
前記第１鎖状組立具の一端にある前記第１リングと連結された前記鎖状接続部の連結箇所に第１アーチ湾曲部が形成されていることを特徴とする、請求項１記載の鎖状組み継ぎおもちゃ。
【請求項４】
二つの第２締結部と、三つの第２リングと、複数の第２鎖状接続部とを含む第２鎖状組立具をさらに備え、
前記第２締結部と、前記第２リングとが前記第２鎖状接続部を介して、鎖状に相互に連結されており、前記第２鎖状組立具の両端にはそれぞれ前記二つの第２締結部のうち一つの第２締結部と、前記三つの第２リングのうち一つの第２リングとが配置されており、一端にある前記一つの第２締結部は、前記三つの第２リングのうち前記一つの第２リングとは別の一つの第２リングと鎖状に互いに連結していて、かつ、前記一つの第２締結部の縁部付近には第２外部リング部が設けられており、一端にある前記一つの第２リング及び前記別の一つの第２リング以外のもう一つの第２リングが、一端にある前記一つの第２締結部以外の二つの第２締結部と互い違いに鎖状に連結するように設置されており、
前記第２鎖状組立具を前記ボール体に周設して固定したとき、一端にある前記一つの第２締結部が前記第２外部リング部を介して、もう一端にある前記一つの第２リングと互いに締結され、前記一つの第２鎖状組立具を前記第１鎖状組立具を有する前記ボール体に周設して固定し、かつ、前記第１鎖状組立具と互いに垂直に交差するよう形成することを特徴とする、請求項１〜３のいずれか１項に記載の鎖状組み継ぎおもちゃ。
【請求項５】
前記第２締結部にはアーチ面が形成されており、前記ボール体の表面に対応して設置され、かつ、前記第２鎖状組立具の一端にある前記一つの第２リングと連結された前記第２鎖状接続部の連結箇所に第２アーチ状湾曲部が形成されており、前記第１締結部と、前記第２締結部とに返し構造が設けられており、前記第１鎖状組立具及び前記第２鎖状組立具の材質が軟性プラスチックであることを特徴とする、請求項４記載の鎖状組み継ぎおもちゃ。
【考案の詳細な説明】
【技術分野】
【０００１】
本考案は組み継ぎおもちゃの分野に関し、特に幼児がプールで水遊びするときに、組み継ぎおもちゃをボール体に固定して、ボール体とボール体とを希望のスタイルに継ぎ合わせる鎖状組み継ぎおもちゃに関する。
【背景技術】
【０００２】
現在、幼児の創意と思考力、想像力、創造力などの特質を培うため、保護者は幼児が自由に組み継ぎ可能なおもちゃを購入して幼児に遊ばせている。さらに、よく見かけるこの種のおもちゃの態様としては、パズルと、積み木が挙げられる。
【考案の概要】
【考案が解決しようとする課題】
【０００３】
しかし、幼児がプールのようなレジャースペースで遊ぶときには、前述のようなおもちゃを携行して遊ばせることはなかなか見かけない。一方、幼児をひたすらプールで遊ばせることは退屈で趣味性が不足するものであり、創造力や想像力の向上も期待できない。よって、幼児をプールサイドで遊ばせるときにも、趣味性を帯び、しかも幼児の創意と思考、想像力、創造力などの特質を向上させることが重視されつつあり、解決すべき課題となっている。
【０００４】
この点について、考案者は従来足りていなかったところを鋭意研究し、かかる産業における長年の蓄積された経験をもとに、本案の鎖状組み継ぎおもちゃを考案し、前述した公知技術の欠点の改善を図らんとするものである。
【課題を解決するための手段】
【０００５】
本考案は、幼児がプールサイドでプールにあるボール体と組み合わせて遊ぶときに、創意と思考、想像力、創造力などの特質を合わせて向上できるとともに、遊戯の趣味性を兼ね合わせた鎖状組み継ぎおもちゃを提供することを目的とする。
【０００６】
前述の目的を達成するため、本考案の鎖状組み継ぎおもちゃは、ボール体に周設して固定することによって、複数のボール体を互いに繋ぎ合わせることができる鎖状組み継ぎおもちゃであって、二つの第１接合部と、一つの第１リングと、二つの第１締結部と、複数の第１鎖状接続部とを含む第１鎖状組立具を備える。第１接合部と、第１リングと、第１締結部とがそれぞれ第１鎖状接続部を介して相互に鎖状に連結されており、各第１鎖状組立具の両端には二つの第１接合部のうち一つの第１接合部と、第１リングとが配置されており、一端にある一つの第１接合部が二つの第１締結部のうち一つの第１締結部と鎖状に連結していて、かつ、一つの第１接合部の縁部付近には第１外部リング部が更に設けられており、一端にある一つの第１接合部以外のもう一つの第１接合部が二つの第１締結部と互い違いに鎖状に連結するように設置されている。第１鎖状組立具をボール体に周設してボール体に固定したとき、一端にある一つの第１接合部が第１外部リング部を介して、もう一端にある第１リングと互いに締結され、二つの第１締結部は他のボール体に周設して固定した別の第１鎖状組立具の一端にある第１接合部と互いに締結されて、複数のボール体を相互に繋ぎ合わせることができる。
【０００７】
好ましくは、第１接合部と、第１リングと、第１締結部とにはそれぞれアーチ面が形成されていて、ボール体の表面に対応して取り付け、第１鎖状組立具をボール体へ安定的に固定させる。
【０００８】
好ましくは、第１鎖状組立具の一端にある第１リングと連結された鎖状接続部の連結箇所に第１アーチ湾曲部が形成されて、一端にある第１リングがもう一端にある第１接合部と連結されて固定することを容易にする。
【０００９】
この他、一部の実施例において、本考案は第２鎖状組立具をさらに備える。第２鎖状組立具は二つの第２締結部と、三つの第２リングと、複数の第２鎖状接続部とを含む。各第２締結部と、第２リングとが第２鎖状接続部を介して鎖状に相互に連結されており、各第２鎖状組立具の両端にはそれぞれ二つの第２締結部のうち１つの第２締結部と、三つの第２リングのうち一つの第２リングとが配置されており、一端にある一つの第２締結部は、三つの第２リングのうち一つの第２リングと鎖状に互いに連結していて、かつ、一つの第２締結部の縁部付近には第２外部リング部が設けられている。さらに、一端にある第２リングを除く第２リングが一端にある第２締結部を除く第２締結部と互い違いに鎖状に連結するように配置されている。第２鎖状組立具をそれぞれボール体に周設して固定したとき、一端にある第２締結部が第２外部リング部を介して、もう一端にある第２リングと互いに締結され、いずれか一つの第２鎖状組立具が第１鎖状組立具を有するボール体に周設されて固定し、かつ、第１鎖状組立具と互いに垂直に交差するよう形成することで、ボール体を同じ方向に繋ぎ合わせられるほか、第２鎖状組立具を介して他方向につなげることができ、繋ぎ合わせた後のスタイルを多様化できる。
【００１０】
好ましくは、第２締結部にはそれぞれアーチ面が形成されており、ボール体の表面に対応して設置されて、第２鎖状組立具をボール体へ安定的に固定させる。
【００１１】
好ましくは、各第１鎖状組立具の一端に設けられた第２リングと連結された第２鎖状接続部の連結箇所に第２アーチ湾曲部が形成されて、一端の第２リングがもう一端の第２締結部と連結されて固定することを容易にする。
【００１２】
好ましくは、第１締結部と、第２締結部とに返し構造を設けて、締結固定状態の安定性を向上する。
【００１３】
好ましくは、第１鎖状組立具及び第２鎖状組立具の材質を軟性プラスチックで形成することで、遊戯の安全性を向上させる。
【００１４】
このように、本考案は第１鎖状組立具と、第２鎖状組立具とをそれぞれ異なるボール体に周設して固定することによって、ボール体同士を互いに繋ぎ合わせて、鎖状組立具と、ボールプールにあるボール体とを互いに結合させ、幼児がボールプールで遊ぶときに、趣味性が一層に向上されるほか、組み合わせ方によって、様々な形状またはスタイルを形成し、想像力と創造力を増強できる。
【図面の簡単な説明】
【００１５】
【図１】本考案の第１実施例の第１鎖状組立具を示す図である。
【図２】本考案の第１実施例の繋ぎ合わせ方を示す図である。
【図３】本考案の第２実施例の第２鎖状組立具を示す図である。
【図４】本考案の第２実施例の繋ぎ合わせ方を示す図である。
【考案を実施するための形態】
【００１６】
審査官の方々の本考案内容のさらなる理解を図るため、本考案の実施形態を、図面を参照しながら以下に説明する。
【実施例】
【００１７】
図１の本考案の第１実施例の第１鎖状組立具を示す図と、図２の繋ぎ合わせ方を示す図とを参照する。図に示すように、本考案の鎖状組み継ぎおもちゃは、ボール体３に周設して固定することによって、複数のボール体３を互いに繋ぎ合わせることができる。本考案の鎖状組み継ぎおもちゃは第１鎖状組立具１を有し、第１鎖状組立具１に二つの第１接合部１１と、一つの第１リング１２と、二つの第１締結部１３と、複数の第１鎖状接続部１４とを含む。そのうち、第１接合部１１と、第１リング１２と、第１締結部１３とがそれぞれ第１鎖状接続部１４を介して互いに鎖状に連結されており、さらに、各第１鎖状組立具１の両端には１つの第１接合部１１と、第１リング１２とが配置されている。一端にある第１接合部１１が１つの第１締結部１３と互いに鎖状に連結されており、かつ、縁部付近には第１外部リング部１５が更に設けられている。一端にある第１接合部１１以外の第１接合部１１が第１締結部１３と互い違いに鎖状に連結するように配置されている。
【００１８】
実際に遊ぶときは、幼児が第１鎖状組立具１をボールプールに置いてあるボール体３の表面に取り付けてから、第１鎖状組立具１の一端にある第１接合部１１の第１外部リング部１５を第１鎖状組立具１のもう一端にある第１リング１２と互いに締結し、第１鎖状組立具１をボール体３に周設して固定しておき、続いて同様の方式でもって、他のボール体３に第１鎖状組立具１を周設して固定しておく。このとき、幼児はいずれか一つの第１鎖状組立具１にある第１締結部１３を他のボール体３に固定したもう一つの第１鎖状組立具１の未使用の第１接合部１１と互いに締結し、ボール体３を互いに繋ぎ合わせて、ボール体３を幼児の所望の形状に配列することができる。
【００１９】
このほか、本実施例において、第１接合部１１と、第１リング１２と、第１締結部１３とにはそれぞれアーチ面が形成されていて、かつ、ボール体３の表面に対応して設置されている。この構造によって、第１鎖状組立具１をボール体３に固定したとき、より安定させることができ、外力によって移動することを防ぐ。さらに、各第１鎖状組立具１の一端にある第１リング１２と連結した、鎖状接続部１４の連結箇所には例えば、第１アーチ湾曲部１６を形成するなどし、一端の第１リング１２と、もう一端の第１接合部１１とを連結して固定することが容易になり、固定がより安定する。さらに、本考案の設計によれば、第１鎖状組立具１をボール体３に固定した後、ボール体３の約５〜８センチ直径が形成する円周の長さとほぼ一致させることによって、第１鎖状組立具１をそれぞれボール体３にうまく周設できる。
【００２０】
引き続き図３の本考案の第２実施例の第２鎖状組立具を示す図と、図４の繋ぎ合わせ方を示す図とを参照する。図に示すように、第１実施例に比べて、本実施例においては第２鎖状組立具２をさらに備えている。第２鎖状組立具２は、二つの第２締結部２１と、三つの第２リング２２と、複数の第２鎖状接続部２３とを有する。第２締結部２１と、第２リング２２とがそれぞれ第２鎖状接続部２３を介して鎖状に相互に連結されていて、一方、第２鎖状組立具２の両端にはそれぞれ一つの第２締結部２１と、一つの第２リング２２が配置されており、かつ、一端にある第２締結部２１と、１つの第２リング２２とは鎖状に相互に連結していて、かつ、縁部付近には第２外部リング部２４がさらに設けられている。一端にある第２リング２２以外の第２リング２２が一端にある第２締結部２１以外の第２締結部２１と互い違いに鎖状になるように設置されている。
【００２１】
実際に遊ぶときは、幼児が第１鎖状組立具１をボール体３に取り付けてから、第２鎖状組立具２をそれぞれ第１鎖状組立具１を取り付けたいずれか一つのボール体３に取り付ける。このとき、いずれか一つの第２鎖状組立具２の一端にある第２締結部２１が第２外部リング部２４を介して、もう一端にある第２リング２２と互いに締結される。一方、第１鎖状組立具１にある第１締結部１３の縁部にも第１外部リング部１５が設けられており、第２鎖状組立具２の残りの第２リング２２と、第１締結部１３にある第１外部リング部１５とを互いに締結することによって、図４に示すように、第２鎖状組立具２と、第１鎖状組立具１とにより、ボール体３が相互に垂直に交差した態様を形成する。このような交差状態によって、ボール体３同士の繋ぎ合わせ方向がより豊富に選択できる。すなわち、第１実施例では繋ぎ合わせて平面的な配列の態様しか形成できないが、本実施例によれば、繋ぎ合わせて立体的な態様に配列することができ、本考案の趣味性が向上されるほか、幼児は想像力と創造力を生かしてボール体の繋ぎ合わせができる。
【００２２】
このほか、本実施例において、第２締結部２１は例えばアーチ面が形成されており、かつ、ボール体３の表面に対応して設置することによって、第２鎖状組立具１をボール体３に固定したとき、より安定させることができるため、外力によって移動することがない。さらに、各第２鎖状組立具２の一端にある第２リング２２と連結した第２鎖状接続部２３の連結箇所には例えば、第２アーチ湾曲部２５を形成するなどし、一端の第２リング２２と、もう一端の第２接合部２１との連結固定が容易になり、周設して固定することがより安定的になる。さらに、本考案の設計によれば、第２鎖状組立具２をボール体３に固定した後、ボール体３の約５〜８センチ直径で形成した円周長さと一致させることによって、第２鎖状組立具２をそれぞれボール体３にうまく周設することができる。
【００２３】
前述した２つの実施例において、第１締結部１３と、第２締結部２１とには例えば、返し構造（１７、２６）を設けても良い。この方法は、締結した後に抜けにくく、さらに、この種の返し構造（１７、２６）は、締結後に分離させるときの利便性にも配慮されている。そのために円弧角が設けられており、一定の方向に力を加えればスムーズに分離できるため、返し部分により分離が難しくなるという課題は解消されるほか、返し構造（１７、２６）を破壊することもなくなることから、連結固定の安定性が向上されるとともに、分離時の利便性も合わせて達成できる。このほか、第１鎖状組立具１及び第２鎖状組立具２の材質は例えば軟性プラスチックを使用するなどして、幼児が投げて遊ぶときの安全性に配慮し、遊戯の安全性を向上させることができる。
【００２４】
以上の説明をまとめると、本考案で提供される第１鎖状組立具１及び／または第２鎖状組立具２によれば、ボールプールにあるボール体３を様々な形状またはスタイルでつなぎ合わせることができるため、一定の趣味性を有するとともに、幼児がボールプールで遊ぶときに退屈しない。さらに、幼児の想像力、創造力も向上する。それに加えて、本考案は軟性プラスチックで仕上げられるため、遊戯の安全性にも配慮しており、幼児の安全が保障される。
【符号の説明】
【００２５】
１          第１鎖状組立具
１１        第１接合部
１２        第１リング
１３        第１締結部
１４        第１鎖状接続部
１５        第１外部リング部
１６        第１アーチ湾曲部
２          第２鎖状組立具
２１        第２締結部
２２        第２リング
２３        第２鎖状接続部
２４        第２外部リング部
２５        第２アーチ状湾曲部
１７、２６  返し構造
３          ボール体
【図１】
0003218118.tif 000003
【図２】
0003218118.tif 000004
【図３】
0003218118.tif 000005
【図４】
0003218118.tif 000006